(57)【要約】      （修正有）【課題】魚釣用電動リールに関し、釣場の状況変化や魚種等に対応した微妙な釣糸の巻取り操作を図り乍ら、迅速な空巻き操作を可能として、一連のモータ駆動による自動巻取り操作性の向上を図った魚釣用電動リールを提供する。【解決手段】リール本体３の側板間に回転可能に支持されたスプール１１と、リール本体に装着されて上記スプールを駆動するスプールモータ１７と、リール本体に回転操作可能に装着されたレバー式のモータ出力調節体と、リール本体に装着され、上記モータ出力調節体の回転操作に応じてスプールモータのモータ出力をオフ状態から増減調節するモータ出力調節手段とを備えた魚釣用電動リールに於て、上記リール本体またはモータ出力調節体に空巻きスイッチを装着し、モータ出力調節体が出力調節範囲のどの位置に操作されていても、空巻きスイッチの押圧操作でスプールモータのモータ出力を最大出力に制御可能とした。【選択図】図１
2005143510.tif 000002
【特許請求の範囲】
【請求項１】
リール本体の側板間に回転可能に支持されたスプールと、
リール本体に装着されて上記スプールを駆動するスプールモータと、
リール本体に回転操作可能に装着されたレバー式のモータ出力調節体と、
リール本体に装着され、上記モータ出力調節体の回転操作に応じて上記スプールモータのモータ出力をオフ状態から増減調節するモータ出力調節手段とを備えた魚釣用電動リールに於て、
上記リール本体またはモータ出力調節体に空巻きスイッチを装着し、
上記モータ出力調節体が出力調節範囲のどの位置に操作されていても、当該空巻きスイッチの押圧操作でスプールモータのモータ出力を最大出力に制御可能としたことを特徴とする魚釣用電動リール。
【請求項２】
空巻きスイッチによるモータ駆動を、モータ出力調節体の回転操作で解除することを特徴とする請求項１に記載の魚釣用電動リール。
【発明の詳細な説明】
【技術分野】
【０００１】
本発明は、リール本体に装着したスプールモータの駆動でスプールを回転させて釣糸の巻取りを行う魚釣用電動リールに関する。
【背景技術】
【０００２】
船釣り等、一般に深場の魚層を対象とした魚釣りを行う場合、魚釣用電動リール（以下、「電動リール」という）が広く用いられている。
従来周知のようにこの電動リールは、リール本体に装着したスプールモータの駆動でスプールを回転させて釣糸の巻取りを行うもので、釣果の向上を図るため、昨今では、特許文献１に開示されるようにスプールモータのモータ出力を連続的に増減調節可能とした電動リールが知られている。
【０００３】
この電動リールは、ハンドルが取り付くリール本体の一側部に、レバー形状のパワーレバー（モータ出力調節体）をハンドルの巻取り方向と同方向へ回転操作可能に装着すると共に、当該パワーレバーの回転操作に応じてモータ出力を増減調節するポテンショメータ等のモータ出力調節手段をリール本体内に装着して、パワーレバーの回転操作でモータ出力をオフ状態から最大値（０〜１００％）まで連続的に調節可能としたもので、この電動リールによれば、パワーレバーの操作でスプールモータの停止とモータ出力の増減調節を容易且つ迅速に行えるため、釣場の状況変化や魚種等に応じた円滑な巻取り操作が可能となった。
【０００４】
ところで、実釣時に魚が掛かるのは１０投に１回程度であり、餌の交換を迅速に行うためには、その都度仕掛けを最速で巻き取りたいという要求がある。
しかし、上述した電動リールにあっては、仕掛けを最速で巻き取るために、最大値までパワーレバーを一杯に回動操作しなければならず、迅速性の点で課題を残していた。
また、特許文献２には、記憶手段に予め設定，記憶した複数の巻取り速度毎に速度変更スイッチを操作パネル上に装着し、これらの選択操作に応じた巻取り速度でスプールモータを駆動させると共に、空巻き状態での迅速な巻取り操作を可能とするため、速度変更スイッチと別に空巻きスイッチを操作パネル上に装着して、この空巻きスイッチの押圧操作で、巻取り速度を超えたモータ最大出力でスプールモータを空巻き駆動させる電動リールが開示されている。
【特許文献１】特許第２９７７９７８号公報
【特許文献２】実公平６−４７２６９号公報
【発明の開示】
【発明が解決しようとする課題】
【０００５】
しかし、特許文献２に開示された電動リールは、上述したように予め設定，記憶された複数の巻取り速度から、速度変更スイッチの操作で選択実行される巻取り状況下での空巻きスイッチによる巻取り操作であるため、釣場の状況変化（魚の誘い駆動，魚のヒット及びバラシ，棚位置の微妙な調節等）に対応した任意で微妙な釣糸の巻取り操作を図り乍らの、迅速な空巻き操作ができないといった不具合が指摘されていた。
【０００６】
本発明は斯かる実情に鑑み案出されたもので、釣場の状況変化や魚種等に対応した微妙な釣糸の巻取り操作を図り乍ら、迅速な空巻き操作を可能として、一連のモータ駆動による自動巻取り操作性の向上を図った電動リールを提供することを目的とする。
【課題を解決するための手段】
【０００７】
斯かる目的を達成するため、請求項１に係る発明は、リール本体の側板間に回転可能に支持されたスプールと、リール本体に装着されて上記スプールを駆動するスプールモータと、リール本体に回転操作可能に装着されたレバー式のモータ出力調節体と、リール本体に装着され、上記モータ出力調節体の回転操作に応じて上記スプールモータのモータ出力をオフ状態から増減調節するモータ出力調節手段とを備えた電動リールに於て、上記リール本体またはモータ出力調節体に空巻きスイッチを装着し、上記モータ出力調節体が出力調節範囲のどの位置に操作されていても、当該空巻きスイッチの押圧操作で、スプールモータのモータ出力を最大出力で制御可能としたことを特徴とする。
【０００８】
そして、請求項２に係る発明は、請求項１に記載の電動リールに於て、空巻きスイッチによるモータ駆動を、モータ出力調節体の回転操作で解除することを特徴とする。
【発明の効果】
【０００９】
請求項１に係る発明によれば、モータ出力調節体の回転操作によってスプールモータのモータ出力をオフ状態から連続的に増減調節できるため、実釣時の釣場の状況変化や魚種等に応じた釣糸巻取り速度の微妙な変速操作が行え、様々なアクションを仕掛けに加えることを可能とし乍ら、モータ出力調節体が出力調節範囲のどの位置に操作されていても、空巻きスイッチの押圧操作で迅速な空巻き駆動操作が実行できるため、従来に比し一連のモータ駆動による自動巻取り操作性が一段と向上することとなった。
【００１０】
そして、請求項２に係る発明は、空巻きスイッチによる空巻き駆動状態を、スイッチ形態及び操作方向の異なるレバー形式のモータ出力調節体の回転操作で解除するように構成したため、空巻き解除操作を迅速且つ誤操作なく行えると共に、空巻き解除後のモータ出力調節体による巻取り駆動動作への移行及びモータ出力の増減調節をモータ出力調節体自体によって行うため、解除後のモータ出力調節体による釣場の状況変化や船べり近傍の微妙な巻取り量調節にもタイムリーに対応できる利点を有する。
【発明を実施するための最良の形態】
【００１１】
以下、本発明の実施形態を図面に基づき詳細に説明する。
図１及び図２は請求項１及び請求項２に係る電動リールの第一実施形態を示し、図中、１はリール本体３のフレーム、５，７は当該フレーム１の左右に取り付く側板で、両側板５，７間にスプール軸９を介してスプール１１が回転可能に支持されており、スプール軸９はスプール１１の軸心を貫通し、軸受１３，１５を介して側板５，７間に支持されている。
【００１２】
スプール１１は、スプールモータ１７の駆動やハンドル１９の巻取り操作で回転して釣糸が巻回されるようになっており、スプールモータ１７は、スプール１１前方のフレーム１に一体成形されたモータケース２１内に収納されている。
そして、側板５内には、スプールモータ１７のモータ軸１７ａの一端側に装着された遊星歯車とこれに噛合する太陽歯車や内歯歯車からなる減速機構２３と、複数枚の歯車２５ａ，２５ｂ，２５ｃからなる動力伝達機構２５が装着されており、スプールモータ１７の駆動力が、これらの減速機構２３と動力伝達機構２５を介してスプール軸９に伝達されるようになっている。
【００１３】
而して、スプール軸９は、スプール１１の中央を貫通してその他端側が側板７内に突出し、その突出端にハンドル操作の回転力をスプール１１に伝達させる周知の動力伝達機構２７や、スプール１１を釣糸巻取り状態（クラッチＯＮ）と釣糸繰出し状態（クラッチＯＦＦ）とに切り換えるクラッチ機構２９が装着されている。
そして、図１及び図２に示すように側板７の側部後方には、レバー形状のクラッチレバー３１が所定角度に亘って回転操作可能に取り付けられており、当該クラッチレバー３１の一方向の回転操作で、クラッチ機構２９がクラッチＯＮからクラッチＯＦＦに切り換わるようになっている。そして、このクラッチＯＦＦ状態でハンドル１９を巻取り方向へ回転させると、図示しない周知の復帰機構を介してクラッチ機構２９がクラッチＯＮに復帰するように構成されており、このクラッチ機構２９のクラッチＯＮ／ＯＦＦの切換えでスプール１１が釣糸巻取り状態と釣糸繰出し状態とに切り換わって、スプール１１へのスプールモータ１７やハンドル１９の動力が伝達／遮断されるようになっている。
【００１４】
また、前記歯車２５ｂにマグネット３３が装着されると共に、当該マグネット３３の回転軌跡に対向して一対のリードスイッチ３５がフレーム１に装着されており、リードスイッチ３５は、リール本体３上部の側板５，７間に装着した制御ボックス３７内のマイクロコンピュータ（図示せず）に接続されている。
而して、マイクロコンピュータには、特開平５−１０３５６７号公報で開示された電動リールと同様な糸長計測装置の計測プログラムが組み込まれており、マイクロコンピュータは、リードスイッチ３５から出力されるスプール１１の正転，逆転の判定信号をＣＰＵに取り込んで釣糸の繰出しか巻取りかを判定すると共に、リードスイッチ３５から取り込むスプール１１の回転パルス信号をアップ・ダウンカウンタでカウントして、この計数値を基に、ＲＯＭに記憶された糸長計算式をＣＰＵで演算実行するようになっている。
【００１５】
そして、ＣＰＵは、その演算結果を糸長（釣糸の繰出し量）として、制御ボックス３７の操作パネル３９上に設けた表示器４１に表示させるようになっている。
更に、ハンドル１９側の側板７の側部前方には、特許文献１で開示された電動リールと同様、スプールモータ１７のモータ出力をオフ状態から最大値（０〜１００％）まで連続的に増減して釣糸の巻取り速度を調節するレバー式のモータ出力調節体（以下、「パワーレバー」という）４３が、リール本体３の前後方向（図２中、矢印Ａ，Ｂ方向）へ所定の角度に亘って回転操作可能に装着されており、当該パワーレバー４３は側板７に一体成形された筒状部４５に装着されて、当該筒状部４５に内蔵されたポテンショメータの操作軸に連結されている。
【００１６】
そして、パワーレバー４３の操作によるポテンショメータの抵抗値の変化がマイクロコンピュータに入力されており、マイクロコンピュータは、パワーレバー４３の操作量に応じたパルス信号のデューティ比としてスプールモータ１７への駆動電流通電時間率を可変制御して、モータ出力をオフ状態からモータ出力１００％まで連続的に増減調節するようになっている。
【００１７】
尚、図２に示すようにパワーレバー４３の出力増加方向（矢印Ａ方向）は、ハンドル１９の巻取り回転方向と同方向である。
ところで、既述したように迅速な空巻き操作を行う場合、上述した構成ではモータ出力が最大となるように、その都度、パワーレバー４３を矢印Ａ方向へ一杯に回動操作しなければならず迅速性の点で課題がある。
【００１８】
そこで、本実施形態は、パワーレバー４３の先端に押しボタン式の空巻きスイッチ４７を装着し、パワーレバー４３が出力調節範囲のどの位置に操作されていても、釣人がこの空巻きスイッチ４７を押圧操作すると、そのＯＮ信号を入力したマイクロコンピュータは、スプールモータ１７をモータ出力１００％で駆動させて釣糸を巻き取るようになっている。
【００１９】
そして、斯かる空巻き駆動状態でパワーレバー４３を矢印Ａ，Ｂ方向のいずれかへ回転操作すると、この信号を入力したマイクロコンピュータは、空巻きスイッチ４７による空巻き駆動を解除して再びパワーレバー４３の操作位置でモータ出力を制御するように構成されている。
その他、図１に於て、４９はモータ軸１７ａに装着した一方向クラッチ、５１は操作パネル３９上に設けたリセットスイッチを示し、当該リセットスイッチ５１の操作で、マイクロコンピュータは表示器４１の糸長表示値が「０（ｍ）」にリセットされるようになっている。
【００２０】
本実施形態に係る電動リール５３はこのように構成されているから、ハンドル１９やパワーレバー４３の操作でスプール１１が回転して釣糸が巻回され、釣糸の繰出しや巻取りに伴い糸長が計測されて、その糸長計測値が表示器４１に表示される。
また、実釣時の様々な釣場の状況変化や魚種等に応じて釣人がパワーレバー４３を矢印Ａ，Ｂ方向に回転操作すれば、パワーレバー４３の操作量に応じスプールモータ１７のモータ出力がオフ状態からモータ出力１００％の範囲で連続的に増減調節されて釣糸巻取り速度の微妙な変速操作が行え、また、様々なアクションを仕掛けに加えることもできる。
【００２１】
そして、魚の当たりがなく、餌の交換を行うために釣人が空巻きスイッチ４７を押圧操作すると、パワーレバー４３が出力調節範囲のどの位置に操作されていても、空巻きスイッチ４７のＯＮ信号を入力したマイクロコンピュータは、スプールモータ１７をモータ出力１００％で駆動させて釣糸を巻き取る。そして、この空巻き駆動状態で釣人がパワーレバー４３を矢印Ａ，Ｂ方向のいずれかへ回転操作すると、この信号を入力したマイクロコンピュータは、空巻きスイッチ４７による空巻き駆動を解除して、再びパワーレバー４３の操作位置でモータ出力を制御することとなる。
【００２２】
このように本実施形態によれば、パワーレバー４３の回転操作によってスプールモータ１７のモータ出力をオフ状態から連続的に増減調節できるため、実釣時の釣場の状況変化や魚種等に応じた釣糸巻取り速度の微妙な変速操作が行え、様々なアクションを仕掛けに加えることを可能とし乍ら、パワーレバー４３が出力調節範囲のどの位置に操作されていても、空巻きスイッチ４７の押圧操作で迅速な空巻き駆動操作が実行できるため、従来に比し一連のモータ駆動による自動巻取り操作性が一段と向上することとなった。
【００２３】
而も、本実施形態は、空巻きスイッチ４７をパワーレバー４３の先端に装着しているため、電動リール５３を良好に保持し乍ら、一連のモータ駆動操作を迅速に行うことができるし、また、空巻きスイッチ４７によるモータ駆動をパワーレバー４３の回転操作で解除するように構成したので、解除後のパワーレバー４３による釣場の状況変化や船べり近傍の微妙な巻取り量調節にもタイムリーに対応できる利点を有する。
【００２４】
尚、上記実施形態では、押しボタン式の空巻きスイッチ４７をパワーレバー４３の先端に設けたが、図１の二点鎖線で示す請求項１及び請求項２の第二実施形態の如く押しボタン式の空巻きスイッチ４７-1をハンドル１９側の操作パネル３９上に設けたり、図３に示す請求項１及び請求項２の第三実施形態に係る電動リール５５の如く、パワーレバー４３と距離を若干開けて押しボタン式の空巻きスイッチ４７-2を筒状部４５の外周に装着してもよい。
【００２５】
而して、これらの実施形態によっても、図１の第一実施形態と同様、所期の目的を達成することが可能で、従来に比し一連のモータ駆動による自動巻取り操作性が一段と向上する利点を有する。
図４は請求項１及び請求項２に係る電動リールの第四実施形態を示し、本実施形態は、パワーレバー４３の操作範囲を、オフ状態からモータ出力７０％まで連続的にモータ出力を増減調節可能な出力調節範囲Ｗ１と、モータ出力１００％で空巻き操作を行う空巻き操作範囲Ｗ２の２段階に設定すると共に、筒状部４５の外周に、押しボタン式の空巻きスイッチ４７-3を出力調節範囲Ｗ１と空巻き操作範囲Ｗ２の切換位置に装着したもので、パワーレバー４３の内側下部には、当該パワーレバー４３を出力調節範囲Ｗ１から空巻き操作範囲Ｗ２へと操作した処で空巻きスイッチ４７-3を押圧操作する傾斜部５７が設けられている。
【００２６】
そして、パワーレバー４３の回転操作に伴い、傾斜部５７によって空巻きスイッチ４７-3が押圧操作されると、そのＯＮ信号を入力したマイクロコンピュータは、スプールモータ１７をモータ出力１００％で駆動させて釣糸を巻き取ると共に、空巻き操作範囲Ｗ２内にあるパワーレバー４３を出力調節範囲Ｗ１に戻すと、空巻きスイッチ４７-3がＯＦＦとなってスプールモータ１７の空巻き駆動が停止し、再びパワーレバー４３の操作位置でモータ出力が制御されるようになっている。
【００２７】
また、上述の如き構成に加え、本実施形態は、パワーレバー４３が出力調節範囲Ｗ１のどの位置に操作されていても、釣人が空巻きスイッチ４７-3を指で押圧操作すると、そのＯＮ信号を入力したマイクロコンピュータがスプールモータ１７をモータ出力１００％で駆動させて釣糸を巻き取るように構成されている。
そして、斯かる状態でパワーレバー４３を出力調節範囲Ｗ１内で回転操作すると、この信号を入力したマイクロコンピュータは、空巻きスイッチ４７-3による空巻き駆動を解除して、再びパワーレバー４３の操作位置でモータ出力を制御するように構成されている。
【００２８】
尚、その他の構成は図１に示す第一実施形態と同様であるので、同一のものには同一符号を付してそれらの説明は省略する。
本実施形態に係る電動リール５９はこのように構成されているから、実釣時の様々な釣場の状況変化や魚種等に応じ釣人がパワーレバー４３を出力調節範囲Ｗ１内で回転操作すれば、パワーレバー４３の操作量に応じ、スプールモータ１７のモータ出力がオフ状態からモータ出力７０％の範囲で連続的に増減調節されて釣糸巻取り速度の微妙な変速操作が行え、様々なアクションを仕掛けに加えることもできる。
【００２９】
そして、魚の当たりがなく、餌の交換を行うために釣人がパワーレバー４３を出力調節範囲Ｗ１から空巻き操作範囲Ｗ２へと回転操作すれば、傾斜部５７により空巻きスイッチ４７-3が押圧操作されて、空巻きスイッチ４７-3のＯＮ信号を入力したマイクロコンピュータは、スプールモータ１７をモータ出力１００％で駆動させて釣糸を巻き取ることとなる。そして、空巻き操作範囲Ｗ２内にあるパワーレバー４３を出力調節範囲Ｗ１に戻すと、空巻きスイッチ４７-3がＯＦＦとなってスプールモータ１７の空巻き駆動が停止し、再びパワーレバー４３の操作位置でモータ出力が制御される。
【００３０】
また、既述したようにパワーレバー４３の操作に代え、パワーレバー４３が出力調節範囲Ｗ１にあるときに釣人が空巻きスイッチ４７-3を指で押圧操作すれば、そのＯＮ信号を入力したマイクロコンピュータがスプールモータ１７をモータ出力１００％で駆動させて釣糸を巻き取る。
そして、斯かる空巻き駆動状態でパワーレバー４３を出力調節範囲Ｗ1内で回転操作すると、この信号を入力したマイクロコンピュータは、空巻きスイッチ４７-3による最大出力でのモータ駆動を解除して、再びパワーレバー４３の操作位置でモータ出力を制御することとなる。
【００３１】
このように、本実施形態に係る電動リール５９も、実釣時の様々な釣場の状況変化や魚種等に応じたパワーレバー４３による微妙な巻取り駆動操作を可能とし乍ら、パワーレバー４３が出力調節範囲Ｗ１のどの位置にあっても、空巻きスイッチ４７-3の押圧操作によって迅速な空巻き駆動操作が実行できるため、一連のモータ駆動による自動巻取り操作性が一段と向上する利点を有する。
【００３２】
加えて、本実施形態も、空巻きスイッチ４７-3によるモータ駆動をパワーレバー４３の回転操作で解除するように構成したので、解除後のパワーレバー４３による釣場の状況変化や船べり近傍の微妙な巻取り量調節にもタイムリーに対応できる利点を有する。
【図面の簡単な説明】
【００３３】
【図１】請求項１及び請求項２の第一，第二実施形態に係る電動リールの平面図である。
【図２】図１に示す電動リールの側面図である。
【図３】請求項１及び請求項２の第三実施形態に係る電動リールの要部拡大平面図である。
【図４】請求項１及び請求項２の第四実施形態に係る電動リールの要部拡大側面図である。
【符号の説明】
【００３４】
３  リール本体
９  スプール軸
１１  スプール
１７  スプールモータ
３９  操作パネル
４１  表示器
４３  パワーレバー
４７，４７-1，４７-2，４７-3  空巻きスイッチ
５３，５５，５９  電動リール
５７  傾斜部
【図１】
2005143510.tif 000003
【図２】
2005143510.tif 000004
【図３】
2005143510.tif 000005
【図４】
2005143510.tif 000006